【手続補正書】
【提出日】平成22年4月1日(2010.4.1)
【手続補正１】
【補正対象書類名】明細書
【補正対象項目名】発明の名称
【補正方法】変更
【補正の内容】
【発明の名称】様々な化合物と物質の性質を改変するための方法及び混合物
【手続補正２】
【補正対象書類名】特許請求の範囲
【補正対象項目名】全文
【補正方法】変更
【補正の内容】
【特許請求の範囲】
【請求項１】
重質油をより軽質の油に変換する方法であって、
ドーパミンまたは１以上のドーパミン化合物を、前記油に添加する工程、
前記混合物を４〜５の範囲のｐＨ値まで酸化する工程、
前記混合物を二価イオンの存在下で反応させる工程、および、
温度を７０℃まで昇温させることにより反応を停止させて所定の粘度を達成する工程、
を含む方法であり、
前記油が４００ｐｐｍ以下のバナジウム含有量と１００ｐｐｍ以下のニッケル含有量を有する、方法。
【請求項２】
前記ドーパミンまたは１以上のドーパミン化合物が、その植物の種類により、バナナ植物の任意部分を絞って得られた、部分的または完全に酸化された汁中に天然に存在するドーパミンまたは１以上のドーパミン化合物である請求項１記載の方法。
【請求項３】
バナナ植物の任意部分を絞って得られた前記汁が、物理的または化学的手段により改変されたバナナの絞り出しである、請求項２記載の方法。
【請求項４】
前記ドーパミンまたは１以上のドーパミン化合物の含有量が１立方センチメートル当たり１００ｍｇ以下である請求項１〜３のいずれか１項記載の方法。
【請求項５】
前記二価イオンがマグネシウムまたはカルシウムである請求項１〜４のいずれか１項記載の方法。
【請求項６】
重質油をより軽質の油に変換する方法であって、
ドーパミンまたは１以上のドーパミン化合物を、前記油に添加する工程、
中性石けんおよびチタンまたはチタン化合物の溶液を前記混合物に添加する工程、
前記混合物を反応させる工程、および、
温度を７０℃まで昇温させることにより反応を停止させて所定の粘度を達成する工程、
を含む方法であり、
前記油が４００ｐｐｍ以下のバナジウム含有量と１００ｐｐｍ以下のニッケル含有量を有する、方法。
【請求項７】
前記ドーパミンまたは１以上のドーパミン化合物が、その植物の種類により、バナナ植物の任意部分を絞って得られた、部分的または完全に酸化された汁中に天然に存在するドーパミンである請求項６記載の方法。
【請求項８】
バナナ植物の任意部分を絞って得られた前記汁は、物理的または化学的手段により改変されたバナナの絞り出しである請求項７記載の方法。
【請求項９】
水上への流出油から任意のＡＰＩ度を有する油を抽出する方法であって、
ドーパミンまたは１以上のドーパミン化合物、過酸化水素、最大３０重量（ｗ／ｗ）％の濃度のエチルアルコール、および触媒として微量の金属を含む混合物を、前記流出物上に添加し均一に分配する工程、
得られた混合物を、周囲条件下で１２時間以上放置する工程、および、
前記水表面から得られた油スラリーを回収する工程、
を含む方法。
【請求項１０】
前記ドーパミンまたは１以上のドーパミン化合物が、その植物の種類により、バナナ植物の任意部分を絞って得られた、部分的または完全に酸化された汁中に天然に存在するドーパミンまたは１以上のドーパミン化合物である請求項９記載の方法。
【請求項１１】
バナナ植物の任意部分を絞って得られた前記汁が、物理的または化学的手段により改変されたバナナの絞り出しである、請求項１０記載の方法。
【請求項１２】
前記金属が鉄、バナジウムまたはニッケルである請求項９〜１１のいずれか１項記載の方法。
【請求項１３】
土壌上に流出した任意のＡＰＩ度を有する原油の環境条件下での分解を促進する方法であって、
ドーパミンまたは１以上のドーパミン化合物、過酸化水素、および触媒として微量の金属を含む混合物を添加し、前記土壌と均一に混合する工程、
前記原油の分解が起こる３ケ月以上の期間土壌を風化作用にさらす工程、および、
無毒で生分解性の化合物を得る工程、
を含む方法。
【請求項１４】
前記ドーパミンまたは１以上のドーパミン化合物が、その植物の種類により、バナナ植物の任意部分を絞って得られた、部分的または完全に酸化された汁中に天然に存在するドーパミンまたは１以上のドーパミン化合物である請求項１３記載の方法。
【請求項１５】
バナナ植物の任意部分を絞って得られた前記汁が、物理的または化学的手段により改変されたバナナの絞り出しである、請求項１４記載の方法。
【請求項１６】
前記金属が鉄、バナジウムまたはニッケルである請求項１３〜１５のいずれか１項記載の方法。
【請求項１７】
前記分解期間は酸化速度を加速させる物理的または化学的手段により短縮される請求項１３〜１６のいずれか１項記載の方法。
【請求項１８】
前記無毒で生分解性の化合物は、二酸化炭素、水、アルデヒド、ケトン、キノンおよびカルボン酸から選択される、請求項１３〜１７のいずれか１項記載の方法。
【請求項１９】
ドーパミンまたは１以上のドーパミン化合物と、中性石けんと、チタンまたは１以上のチタン化合物と、を含む混合物。
【請求項２０】
ドーパミンまたは１以上のドーパミン化合物と、過酸化水素と、最大３０重量（ｗ／ｗ）％の濃度のエチルアルコールと、触媒として微量の金属と、を含む混合物。
【請求項２１】
ドーパミンまたは１以上のドーパミン化合物と、過酸化水素と、触媒として微量の金属と、を含む混合物。
【請求項２２】
前記金属が鉄、バナジウムまたはニッケルである、請求項２０または２１に記載の混合物。
【請求項２３】
ドーパミンまたは１以上のドーパミン化合物と、水素イオンの移動を達成するための任意の比率の金属と、を含む混合物。
【請求項２４】
前記金属が、珪素、マグネシウム、ホウ素、リチウム、亜鉛またはスズである請求項２３記載の混合物。
【請求項２５】
ドーパミンまたは１以上のドーパミン化合物と、フッ素と、を含む混合物。
【請求項２６】
前記ドーパミンまたは１以上のドーパミン化合物が、その植物の種類により、バナナ植物の任意部分を絞って得られた、部分的または完全に酸化された汁中に天然に存在するドーパミンまたは１以上のドーパミン化合物である、請求項１９〜２５のいずれか１項に記載の混合物。
【請求項２７】
バナナ植物の任意部分を絞って得られた前記汁が、物理的または化学的手段により改変されたバナナの絞り出しである、請求項２６記載の混合物。
【請求項２８】
酸化が任意の方法または任意の転化率で行われる、請求項２６または２７記載の混合物。
【請求項２９】
酸化が、過酸化水素の添加、空気または酸素ガスの通気によって行われる請求項２８記載の混合物。
【請求項３０】
原油または原油分留の任意の生成物がそれ自体または組合せにより添加された請求項１９〜２９のいずれか１項に記載の混合物。
【請求項３１】
植物性油ならびに直鎖状および／または分枝状アルコールが添加された請求項１９〜３０のいずれか１項に記載の混合物。
【請求項３２】
前記混合物が、固相または液相にある、請求項１９〜３１のいずれか１項に記載の混合物。
【請求項３３】
炭酸化合物または窒素化合物と、空気または気体と、が添加された請求項１９〜３２のいずれか１項に記載の混合物。
【請求項３４】
前記気体が、酸素、窒素または水素である、請求項３３に記載の混合物。
【請求項３５】
重質油をより軽質の油に変換するための、ドーパミンまたは１以上のドーパミン化合物の使用。
【請求項３６】
任意のＡＰＩ度を有する原油の分解を促進するための、ドーパミンまたは１以上のドーパミン化合物の使用。
【請求項３７】
水素イオン移動を生じるための、ドーパミンまたは１以上のドーパミン化合物の使用。
【請求項３８】
水素イオン移動度を生じるための、ドーパミンまたは１以上のドーパミン化合物の使用。
【請求項３９】
前記ドーパミンまたは１以上のドーパミン化合物が、その植物の種類により、バナナ植物の任意部分を絞って得られた、部分的または完全に酸化された汁中に天然に存在するドーパミンまたは１以上のドーパミン化合物である、請求項３５〜３８のいずれか１項に記載の、ドーパミンまたは１以上のドーパミン化合物の使用。
【請求項４０】
バナナ植物の任意部分を絞って得られた前記汁が、物理的または化学的手段により改変されたバナナの絞り出しである、請求項３９に記載の、ドーパミンまたは１以上のドーパミン化合物の使用。